(57)【要約】【課題】天井板に形成された開口に本体が容易に設置され得る機器を得ること。【解決手段】機器は、天井板に形成された第１の開口に設置される本体と、前記本体が前記第１の開口に設置された状態で前記本体の落下を防止するように、前記本体の側面に配された落下防止部材とを備え、前記本体の側面には、前記落下防止部材を係合させるための第２の開口が設けられ、前記落下防止部材は、前記本体の側面に沿って鉛直方向に延びた上部と、前記上部の下方において前記本体の側面に沿って鉛直方向に延びた下部と、前記本体の側面から離れる方向へ前記上部と前記下部との間から突出したバネ部と、前記第２の開口の下端又は上端に係合するように前記上部の上端から少なくとも前記本体の内側へ延びた係合部とを有する。【選択図】図１
2011133134.tif 000002
【特許請求の範囲】
【請求項１】
天井板に形成された第１の開口に設置される本体と、
前記本体が前記第１の開口に設置された状態で前記本体の落下を防止するように、前記本体の側面に配された落下防止部材と、
を備え、
前記本体の側面には、前記落下防止部材を係合させるための第２の開口が設けられ、
前記落下防止部材は、
前記本体の側面に沿って鉛直方向に延びた上部と、
前記上部の下方において前記本体の側面に沿って鉛直方向に延びた下部と、
前記本体の側面から離れる方向へ前記上部と前記下部との間から突出したバネ部と、
前記第２の開口の下端又は上端に係合するように前記上部の上端から少なくとも前記本体の内側へ延びた係合部と、
を有する
ことを特徴とする機器。
【請求項２】
前記本体は、前記第２の開口から前記本体の内部を下方に延びている溝部を有し、
前記係合部は、
前記上部の上端から前記本体の内側へ延びた第１の部分と、
前記第１の部分から前記溝部内を下方へ延びた第２の部分と、
を有する
ことを特徴とする請求項１に記載の機器。
【請求項３】
鉛直方向における前記第２の部分の幅は、鉛直方向における前記第２の開口の幅より広い
ことを特徴とする請求項２に記載の機器。
【請求項４】
前記下部は、穴を有しており、
前記機器は、
前記下部における前記穴に挿入された際に前記下部を前記本体に固定する固定部材をさらに備えた
ことを特徴とする請求項２又は３に記載の機器。
【発明の詳細な説明】
【技術分野】
【０００１】
本発明は、機器に関する。
【背景技術】
【０００２】
浴室に設置され快適性の向上をはかる換気や暖房、さらには衣類乾燥を行う機器は、主に浴室の天井に設置されるものが多い。このような機器は、設置時に、本体が浴室天井に開けられた開口に差し込まれ、本体に接続されたフランジが天井にネジ止めされる。これにより、本体が天井に固定される。また、機器の内部における部品を修理又は交換する際には、本体を天井から降ろす必要が出てくる。
【０００３】
特許文献１には、室内と天井裏空間とを仕切る仕切構造の開口部に取り付ける機器に適用するための、保持金具と止金具とを含む機器落下防止金具が記載されている。具体的には、室内と天井裏空間とを仕切る仕切構造に装着されている保持金具のウェブ延出部を機器の取付フランジ部の通孔に抜き通すとともに、保持金具のネジ挿通孔に機器本体の取付フランジ部のネジ挿通孔からネジを挿通して共締めする。この状態で、ウェブ延出部における取付フランジ部から室内側に突出した部分に設けられた横孔に、止金具を横方向からかんぬき状に装着する。そして、止金具のネジ挿通孔から取付フランジ部のネジ挿通孔を通してネジを上記の仕切構造にネジ止めする。これにより、特許文献１によれば、仕切構造の開口部において機器の本体が機器落下防止金具を支点に回動して止まるので、機器の本体が鉛直下方に落下しないとされている。
【先行技術文献】
【特許文献】
【０００４】
【特許文献１】特開２００３−３４３９０６号公報
【発明の概要】
【発明が解決しようとする課題】
【０００５】
特許文献１に記載された構造では、機器を仕切構造の開口部に取り付ける時、ウェブ延出部を機器の取付フランジ部の通孔に抜き通した状態でウェブ延出部の横孔に止金具を横方向からかんぬき状に装着するまでは、それらの複雑な作業を行いながら機器を手で支えなければならない。このため、機器の取り付け作業が、非常に煩雑になり、１人で行うことが困難である。
【０００６】
本発明は、上記に鑑みてなされたものであって、天井板に形成された開口に本体が容易に設置され得る機器を得ることを目的とする。
【課題を解決するための手段】
【０００７】
上述した課題を解決し、目的を達成するために、本発明の１つの側面にかかる機器は、天井板に形成された第１の開口に設置される本体と、前記本体が前記第１の開口に設置された状態で前記本体の落下を防止するように、前記本体の側面に配された落下防止部材とを備え、前記本体の側面には、前記落下防止部材を係合させるための第２の開口が設けられ、前記落下防止部材は、前記本体の側面に沿って鉛直方向に延びた上部と、前記上部の下方において前記本体の側面に沿って鉛直方向に延びた下部と、前記本体の側面から離れる方向へ前記上部と前記下部との間から突出したバネ部と、前記第２の開口の下端又は上端に係合するように前記上部の上端から少なくとも前記本体の内側へ延びた係合部とを有することを特徴とする。
【発明の効果】
【０００８】
本発明によれば、本体が第１の開口に設置される際に、係合部が第２の開口の下端に係合した状態でバネ部が天井板から下方向の力を受けることによりバネ部が上から見た場合に第１の開口の内側に位置するまで本体の側面に近づくように変形し、天井板がバネ部より下の位置になった際に、バネ部が上から見た場合に第１の開口の外側に位置するまで突出した形状に戻る。さらに、天井板がバネ部より下の位置になった際に、バネ部が天井板から上方向の力を受けることにより、係合部が第２の開口の下端での係合を解除されるとともに本体の側面に沿って上方向に摺動し、係合部が第２の開口の上端で再び係合した状態で、バネ部が第１の開口の外側へさらに突出するように変形する。このように、簡易な作業により本体を第１の開口に仮止めさせることが可能になるため、天井板に形成された第１の開口に本体が容易に設置され得る機器を得ることができるという効果を奏する。
【図面の簡単な説明】
【０００９】
【図１】図１は、実施の形態１の機器の外観構成を示す図である。
【図２】図２は、実施の形態１の機器の断面図である。
【図３】図３は、実施の形態１の機器の天井への挿入動作を示す略図である。
【図４】図４は、実施の形態１の機器を挿入後保持した場合の略図である。
【図５】図５は、実施の形態１の機器を天井から引き降ろし時の動作を示す略図である。
【発明を実施するための形態】
【００１０】
以下に、本発明にかかる機器の実施の形態を図面に基づいて詳細に説明する。なお、この実施の形態によりこの発明が限定されるものではない。
【００１１】
実施の形態１．
以下、実施の形態１の機器１０について説明する。なお、機器１０が左右対称な構造であるため、機器１０における図面中右半分の部分に注目して説明するが、機器１０における図面中左半分の部分についても同様である。
【００１２】
図１は、実施の形態１の機器１０の外観構成を示す図である。図１（ａ）は、実施の形態１の機器１０を下方からみた斜視図である。図１（ａ）は、機器１０の本体を天井板４に形成された開口４ａに挿入する前の状態を示した斜視図である。図１（ｂ）は、落下防止バネ１及びキー板２を下方から見た斜視図である。
【００１３】
機器１０は、例えば、浴室換気乾燥暖房機であり、浴室内を換気したり、浴室を暖房したり、浴室の空気を乾燥させたりする。機器１０は、本体３と落下防止バネ（落下防止部材）１とキー板（固定部材）２とを備える。
【００１４】
本体３は、天井板４に形成された開口（第１の開口）４ａに設置される。本体３は、ケーシング３ｈとフランジ３ｂとを有する。ケーシング３ｈは、本体３の、図面中右側の側面３ｈ１を含む複数の側面を形成する。側面３ｈ１には、落下防止バネ１を係合させるための開口（第２の開口）３ａが設けられている。フランジ３ｂは、ケーシング３ｈの下縁（室内側の縁）から外側に延びている。フランジ３ｂには、落下防止バネ１を抜き通す為の穴３ｃと、キー板２が固定されるためのネジ穴３ｆ（図２参照）と、本体３を天井板４に固定するためのネジ穴３ｇ１〜３ｇ４とが設けられている。
【００１５】
落下防止バネ１は、本体３の開口３ａとフランジ３ｂの穴３ｃとに挿入されることにより、本体３の側面３ｈ１に配されている。落下防止バネ１は、機器１０の開口３ａとフランジ３ｂの穴３ｃとにより左右方向に位置決めされている。それに対して、落下防止バネ１は、上下方向には摺動可能である。この摺動範囲は、後述のように、上下方向におけるある範囲に限られている。
【００１６】
落下防止バネ１は、例えば、板状の部材が加工されることにより形成された板バネである。落下防止バネ１は、上部１ｆ、凸部（バネ部）１ｃ、折り返し部（係合部）１ｂ、折り曲げ部１ｄ、及び下部１ｅを有する。
【００１７】
上部１ｆは、折り返し部１ｂと凸部１ｃとの間の部分である。上部１ｆは、落下防止バネ１が本体３の側面３ｈ１に配された際に、本体３の側面３ｈ１に沿って鉛直方向に延びた部分である。
【００１８】
凸部１ｃは、板状の部材の表面に垂直な方向に突出するように折り曲げられた部分である。凸部１ｃは、落下防止バネ１が本体３の側面３ｈ１に配された際に、本体３の側面３ｈ１から離れる方向へ上部１ｆと下部１ｅとの間から突出した部分である。凸部１ｃは、本体３の側面３ｈ１に配された際に、バネとして機能する部分である。後述のように、凸部１ｃが天井板４の開口４ａと干渉することにより本体３の仮止めが可能となる。
【００１９】
折り返し部１ｂは、板状の部材における一端が凸部１ｃの突出する側と反対側へ折り返された部分である。上部１ｆ及び折り返し部１ｂは、表面に垂直な方向から見た場合に、チャネル形状を形成している。折り返し部１ｂは、本体３の側面３ｈ１に配された際に、凸部１ｃより上に位置するとともに後述のように開口３ａの下端３ｅ又は上端３ｄに係合する部分である。
【００２０】
折り返し部１ｂは、第１の部分１ｂ１と第２の部分１ｂ２とを有する。第１の部分１ｂ１は、落下防止バネ１が本体３の側面３ｈ１に配された際に、上部１ｆの上端から本体３の内側へ延びた部分である。第２の部分１ｂ２は、第１の部分１ｂ１から後述の溝部３ｉ内を下方へ延びた部分である。
【００２１】
折り曲げ部１ｄは、板状の部材における他端が凸部１ｃの突出する側へ折り曲げられた部分である。折り曲げ部１ｄは、表面に垂直な方向から見た場合に、Ｌ字形状をしている。折り曲げ部１ｄは、落下防止バネ１が機器１０のフランジ３ｂの穴３ｃから外れることを防いでいる。
【００２２】
下部１ｅは、凸部１ｃと折り曲げ部１ｄとの間における、穴３ｃに抜き通された際にフランジ３ｂから室内側に突出する部分である。下部１ｅは、落下防止バネ１が本体３の側面３ｈ１に配された際に、上部１ｆの下方において本体３の側面３ｈ１に沿って鉛直方向に延びた部分である。下部１ｅは、キー板２が差し込まれるための穴１ａを有している。
【００２３】
キー板２は、下部１ｅにおける穴１ａに挿入された際に下部１ｅを本体３に固定するための部材である。すなわち、キー板２は、落下防止バネ１の穴１ａに差し込まれることにより、落下防止バネ１の上方向への摺動をとめることができる。キー板２は、平板をＬ字状に曲げた形で形成される。キー板２には、落下防止バネ１の穴１ａに差し込まれた際にフランジ３ｂの下面に対向する面の中央に長穴２ａが設けられている。ネジ５が長穴２ａを通してネジ穴３ｆ（図２参照）にネジ止めされることにより、キー板２は、落下防止バネ１の上方向だけでなく下方向への摺動もとめることができる。これにより、キー板２は、落下防止バネ１における下部１ｅを本体３のフランジ３ｂに固定する。ネジ５を緩めることによりキー板２は機器１０のフランジ３ｂの面をスライドすることで落下防止バネ１の穴１ａに挿入したり、はずしたりすることができる。また、キー板２はＬ字状の形状であるため、落下防止バネ１の穴１ａへの抜き差しの操作がしやすいように工夫されている。これにより、上記のしたように落下防止バネ１の上下への摺動を止めたり、自由にしたりすることができる構造となっている。
【００２４】
図２は、実施の形態１の機器１０の断面図である。図２は、開口３ａ及び溝部３ｉの形状を断面で表現した図である。上下方向（鉛直方向）における溝部３ｉの幅は、上下方向（鉛直方向）における開口３ａの幅より広くなっている。すなわち、本体３は、開口３ａから本体３の内部を下方に延びた溝部３ｉを有している。これにより、落下防止バネ１の折り返し部１ｂが開口３ａの下端３ｅに容易に係合することができる。また、キー板２が穴１ａに差し込まれていない状態で、折り返し部１ｂが開口３ａの上端３ｄに当たる位置から下端３ｅに嵌合する位置までの範囲で、落下防止バネ１を上下に動かすことができる構造となっている。
【００２５】
ここで、鉛直方向における第２の部分１ｂ２の幅は、鉛直方向における開口３ａの幅より広くなっている。これにより、折り返し部１ｂが開口３ａの下端３ｅから上端３ｄへ向かうように落下防止バネ１が摺動する際に落下防止バネ１が本体３から外れにくくすることができる。
【００２６】
図３は、本体３を天井板４の開口４ａに挿入する（設置する）動作を段階的に示した略図である。
【００２７】
図３（ａ）の段階では、機器１０の本体３を天井板４の開口４ａへ挿入する前に、キー板２を落下防止バネ１の穴１ａからはずした状態で、折り返し部１ｂが開口３ａの下端３ｅに係合するように落下防止バネ１を本体３の側面３ｈ１に配する。
【００２８】
図３（ｂ）の段階では、機器１０の本体３を天井板４の開口４ａに挿入する。この際、天井板４と落下防止バネ１の凸部１ｃとが当り、落下防止バネ１の凸部１ｃが下方向の力を受けて押し下げられることにより、落下防止バネ１の折り返し部１ｂが開口３ａの下端３ｅに当り、落下防止バネ１は上側に移動できなくなる。さらに本体３を押し上げると、折り返し部１ｂが側面３ｈ１に係合した状態で凸部１ｃが天井板４から下方向の力をさらに受ける。これにより、凸部１ｃが上から見た場合に天井板４の開口４ａの内側に位置するまで本体３の側面３ｈ１に近づくように変形する。すなわち、落下防止バネ１の凸部１ｃが天井板４の開口４ａをすり抜けられるように変形する。
【００２９】
図３（ｃ）の段階では、さらに本体３を押し上げる。天井板４は落下防止バネの凸部１ｃを通過し、天井板４が凸部１ｃより下の位置になる。この際に、凸部１ｃが上から見た場合に天井板４の開口４ａの外側に位置するまで突出した形状、すなわち元の形状に戻る。
【００３０】
図４は、機器１０の本体３を天井板４の開口４ａに挿入した後、手を放した状態を示す。この際、本体３は少し下に降りた状態となり、落下防止バネ１の凸部１ｃと天井板４とが干渉し、落下防止バネ１の穴１ａにキー板２が挿入されていないため落下防止バネ１は上方へ摺動する。すなわち、落下防止バネ１は、天井板４が凸部１ｃより下の位置になった際に、凸部１ｃが天井板４から上方向の力を受けることにより、折り返し部１ｂが開口３ａの下端３ｅでの係合を解除されるとともに本体３の側面３ｈ１に沿って上方向に摺動する。そして、落下防止バネ１の折り返し部１ｂが開口３ａの上端３ｄに当ることにより摺動がとまる。これにより、落下防止バネ１は、折り返し部１ｂが開口３ａの上端３ｄで再び係合した状態になる。
【００３１】
このとき、落下防止バネ１における下部１ｅは上方に自由に動くことができる為、落下防止バネ１の凸部１ｃは天井板４から上方向の力を受けて下から押される形となり、さらに外周方向に広がる形となる。すなわち、落下防止バネ１は、折り返し部１ｂが開口３ａの上端３ｄで係合した状態で、凸部１ｃが上方向の力を受けることにより、凸部１ｃが上から見た場合に開口４ａの外側へさらに突出するように変形する。このため、落下防止バネ１の凸部１ｃが天井板４の開口４ａを抜けることは無く天井板４に引っかかった状態となるので、機器１０の本体３が天井板４に仮固定される。また、この状態から本体３を引き下げても落下防止バネ１の凸部１ｃがより外周に広がり干渉するため本体３が落下することはない。
【００３２】
図５は、本体３を天井板４の開口４ａから引き降ろす時の動作を段階的に示した略図である。
【００３３】
図５（ａ）の段階では、本体３を天井板４の開口４ａから引き降ろすために、本体３を片手で若干持ち上げるとともに、キー板２を落下防止バネの穴１ａに差し込む。このとき、落下防止バネ１は、自重で落下防止バネの折り返し部１ｂが側面３ｈ１の開口３ａの下端３ｅに当るところまで下がり、キー板２を落下防止バネ１の穴１ａに挿入しネジ５（図２参照）で固定する。これにより、落下防止バネ１が本体３のフランジ３ｂに固定される。すなわち、落下防止バネ１は、本体３が天井板４の開口４ａから取り外される際に、折り返し部１ｂが開口３ａの下端３ｅで係合するとともに下部１ｅがキー板２により本体３へ固定された状態になる。
【００３４】
図５（ｂ）の段階では、本体３を天井板４の開口４ａから引き降ろすと落下防止バネ１の凸部１ｃが天井板４の開口４ａに当る。このとき、落下防止バネ１の下部１ｅはキー板２により摺動しないよう規制されている。すなわち、落下防止バネ１は、折り返し部１ｂが開口３ａの下端３ｅで係合するとともに下部１ｅがキー板２により本体３へ固定された状態で凸部１ｃが天井板４から上方向の力を受ける。これにより、さらに本体３を引き降ろすと、落下防止バネ１は、折り返し部１ｂが開口３ａの下端３ｅでの係合を解除される。そして、落下防止バネ１は、折り返し部１ｂが本体３の側面３ｈ１に沿って上方向に開口３ａの上端３ｄへ近づくように摺動するとともに、凸部１ｃが上方向の力を受けて上から見た場合に天井板４の開口４ａの内側に位置するまで本体３の側面３ｈ１に近づくように変形する。これにより、落下防止バネ１の凸部１ｃは、天井板４の開口４ａをすり抜けられる。
【００３５】
図５（ｃ）の段階では、さらに本体３を引き降ろすと、天井板４の開口４ａから本体３を抜き取ることができる。
【００３６】
以上のように、実施の形態１によれば、落下防止バネ１は、本体３が天井板４の開口４ａに設置される際に、折り返し部１ｂが本体３の開口３ａの下端３ｅに係合した状態で凸部１ｃが天井板４から下方向の力を受けることにより凸部１ｃが上から見た場合に天井板４の開口４ａの内側に位置するまで本体３の側面３ｈ１に近づくように変形する。そして、天井板４が凸部１ｃより下の位置になった際に、凸部１ｃが上から見た場合に天井板４の開口４ａの外側に位置するまで突出した形状に戻る。さらに、落下防止バネ１は、天井板４が凸部１ｃより下の位置になった際に、凸部１ｃが天井板４から上方向の力を受けることにより、折り返し部１ｂが本体３の開口３ａの下端３ｅでの係合を解除されるとともに本体３の側面３ｈ１に沿って上方向に摺動し、折り返し部１ｂが本体３の開口３ａの上端３ｄで再び係合した状態で、凸部１ｃが上から見た場合に天井板４の開口４ａの外側へさらに突出するように変形する。このように、簡易な作業により本体を第１の開口に仮止めさせることが可能になるため、天井板に形成された開口に本体が容易に設置され得る機器を得ることができる。
【００３７】
また、落下防止バネ１は、本体３が天井板４の開口４ａから取り外される際に、折り返し部１ｂが本体３の開口３ａの下端３ｅで係合するとともに下部１ｅがキー板２により本体３へ固定された状態で凸部１ｃが天井板４から上方向の力を受けることにより、折り返し部１ｂが本体３の開口３ａの下端３ｅでの係合を解除される。これにより、本体３の側面３ｈ１に沿って上方向に本体３の開口３ａの上端３ｄへ近づくように摺動するとともに、凸部１ｃが上から見た場合に天井板４の開口４ａの内側に位置するまで本体３の側面３ｈ１に近づくように変形する。このように、簡易な作業により本体３を天井板４の開口４ａから引き降ろすことが可能になるため、天井板に形成された開口からその開口に設置された本体が容易に引き下ろされ得る機器を得ることができる。
【００３８】
なお、上記の実施の形態１では、落下防止バネ１は板状の部材が加工されることにより形成された板バネであるが、落下防止バネは、線材が加工されることにより形成されたバネであっても同様の効果を得ることができる。またキー板２については落下防止バネ１の上下方向の摺動を止める目的で配置したが、落下防止バネ１を本体３に直接ネジ止めすることでも同様の効果が得られる。
【産業上の利用可能性】
【００３９】
以上のように、本発明にかかる機器は、天井板の開口に設置される機器に有用であり、特に、浴室の天井板の開口に設置される浴室換気乾燥暖房機に適している。
【符号の説明】
【００４０】
１  落下防止バネ
１ａ  穴
１ｂ  折り返し部
１ｃ  凸部
１ｄ  折り曲げ部
１ｅ  下部
１ｆ  上部
２  キー板
２ａ  長穴
３  本体
３ａ  開口
３ｂ  フランジ
３ｃ  穴
３ｄ  上端
３ｅ  下端
４  天井板
４ａ  開口
５  ネジ
【図１】
2011133134.tif 000003
【図２】
2011133134.tif 000004
【図３】
2011133134.tif 000005
【図４】
2011133134.tif 000006
【図５】
2011133134.tif 000007